(57)【特許請求の範囲】
【請求項１】
医療処置の際に医療用器具または患者の四肢である対象物が開口から挿入され、前記対象物を覆う袋状の医療用カバーであって、
袋状の底部を含む第１部位と、
前記対象物を覆っている状態において、前記第１部位から前記開口側へと広がる筒状の第２部位と、
を備え、
前記対象物の挿入前において、
前記第２部位のうち少なくとも前記第１部位との境界近傍の部位が、前記境界である環状の折り返し線にて外面同士を対向させつつ前記第１部位の外側に折り返されており、
前記第１部位の先端部が、前記第２部位の前記折り返し線とは反対側の端縁である底部側端縁から突出し、
前記対象物の挿入前における前記第２部位が、
前記折り返し線にて前記第１部位の外側に折り返される第１積層部と、
前記折り返し線と前記底部側端縁との間に位置するとともに前記第１積層部との境界である第１中間折り返し線にて、外面同士を対向させつつ前記第１積層部の内側に折り返される第２積層部と、
前記第１中間折り返し線と前記折り返し線との間に位置するとともに前記第２積層部との境界である第２中間折り返し線にて、内面同士を対向させつつ前記第２積層部の内側に折り返される第３積層部と、
を含むことを特徴とする医療用カバー。
【請求項２】
請求項１に記載の医療用カバーであって、
前記対象物の挿入前において、前記第２部位が、前記底部側端縁にて内面同士を対向させつつ外側に折り返される外側折り返し部を含むことを特徴とする医療用カバー。
【請求項３】
請求項２に記載の医療用カバーであって、
前記対象物の挿入前において、前記外側折り返し部の前記底部側端縁とは反対側の端縁が、前記底部側端縁と前記折り返し線との間に位置することを特徴とする医療用カバー。
【請求項４】
請求項２に記載の医療用カバーであって、
前記対象物の挿入前において、前記外側折り返し部の前記底部側端縁とは反対側の端縁近傍の部位が、前記折り返し線から突出することを特徴とする医療用カバー。
【請求項５】
請求項１ないし４のいずれかに記載の医療用カバーであって、
前記第１部位のうち、前記対象物の挿入前において前記第２部位から露出する領域に、前記医療用カバーを保持するための手の挿入位置を示す目印が設けられることを特徴とする医療用カバー。
【請求項６】
請求項１ないし５のいずれかに記載の医療用カバーであって、
前記第１部位に接合されて前記第１部位の強度を向上する補強部材をさらに備えることを特徴とする医療用カバー。
【発明の詳細な説明】
【技術分野】
【０００１】
本発明は、医療処置の際に医療用器具または患者の四肢のいずれかである対象物が開口から挿入され、前記対象物を覆う袋状の医療用カバーに関する。
【背景技術】
【０００２】
従来より、手術室において外科手術等の医療処置が行われる際には、手術器具等を載置する台としてメイヨ台が利用される。メイヨ台は、例えば、特許文献１に記載された袋状のカバーにより覆われる。
【先行技術文献】
【特許文献】
【０００３】
【特許文献１】特表平１１−５００６３８号公報
【発明の概要】
【発明が解決しようとする課題】
【０００４】
ところで、メイヨ台を覆うカバーは比較的細長いため、カバー内にメイヨ台を挿入することが容易ではない。
【０００５】
本発明は、上記課題に鑑みなされたものであり、対象物への装着が容易な医療用カバーを提供することを目的としている。
【課題を解決するための手段】
【０００６】
請求項１に記載の発明は、医療処置の際に医療用器具または患者の四肢である対象物が開口から挿入され、前記対象物を覆う袋状の医療用カバーであって、袋状の底部を含む第１部位と、前記対象物を覆っている状態において、前記第１部位から前記開口側へと広がる筒状の第２部位とを備え、前記対象物の挿入前において、前記第２部位のうち少なくとも前記第１部位との境界近傍の部位が、前記境界である環状の折り返し線にて外面同士を対向させつつ前記第１部位の外側に折り返されており、前記第１部位の先端部が、前記第２部位の前記折り返し線とは反対側の端縁である底部側端縁から突出し、前記対象物の挿入前における前記第２部位が、前記折り返し線にて前記第１部位の外側に折り返される第１積層部と、前記折り返し線と前記底部側端縁との間に位置するとともに前記第１積層部との境界である第１中間折り返し線にて、外面同士を対向させつつ前記第１積層部の内側に折り返される第２積層部と、前記第１中間折り返し線と前記折り返し線との間に位置するとともに前記第２積層部との境界である第２中間折り返し線にて、内面同士を対向させつつ前記第２積層部の内側に折り返される第３積層部とを含む。
【０００７】
請求項２に記載の発明は、請求項１に記載の医療用カバーであって、前記対象物の挿入前において、前記第２部位が、前記底部側端縁にて内面同士を対向させつつ外側に折り返される外側折り返し部を含む。
【０００８】
請求項３に記載の発明は、請求項２に記載の医療用カバーであって、前記対象物の挿入前において、前記外側折り返し部の前記底部側端縁とは反対側の端縁が、前記底部側端縁と前記折り返し線との間に位置する。
【０００９】
請求項４に記載の発明は、請求項２に記載の医療用カバーであって、前記対象物の挿入前において、前記外側折り返し部の前記底部側端縁とは反対側の端縁近傍の部位が、前記折り返し線から突出する。
【００１０】
請求項５に記載の発明は、請求項１ないし４のいずれかに記載の医療用カバーであって、前記第１部位のうち、前記対象物の挿入前において前記第２部位から露出する領域に、前記医療用カバーを保持するための手の挿入位置を示す目印が設けられる。
【００１２】
請求項６に記載の発明は、請求項１ないし５のいずれかに記載の医療用カバーであって、前記第１部位に接合されて前記第１部位の強度を向上する補強部材をさらに備える。
【発明の効果】
【００１３】
本発明では、対象物への装着が容易な医療用カバーを提供することができる。
【図面の簡単な説明】
【００１４】
【図１】第１の関連技術に係る医療用カバーを示す平面図である。
【図２】メイヨ台に装着された状態の医療用カバ−を示す斜視図である。
【図３】メイヨ台の挿入前の医療用カバ−を示す斜視図である。
【図４】メイヨ台の挿入前の医療用カバ−を示す縦断面図である。
【図５】看護士に保持された状態の医療用カバ−を示す斜視図である。
【図６】メイヨ台の挿入前における第２の関連技術に係る医療用カバ−を示す斜視図である。
【図７】メイヨ台の挿入前の医療用カバ−を示す縦断面図である。
【図８】メイヨ台の挿入前における一の実施の形態に係る医療用カバ−を示す斜視図である。
【図９】メイヨ台の挿入前の医療用カバ−を示す縦断面図である。
【発明を実施するための形態】
【００１５】
図１は、本発明の第１の関連技術に係る医療用カバー１を示す斜視図である。医療用カバ−１は、図１中の上側に開口１１を有する袋状である。医療処置の際には、医療用器具または患者の四肢のいずれかである対象物が、医療用カバ−１の開口１１から挿入されることにより、当該対象物が医療用カバ−１により覆われる。医療用カバ−１は、予め滅菌処理されている。以下の説明では、当該対象物が医療用器具の１つであるメイヨ台であるものとして説明する。
【００１６】
医療用カバ−１は、それぞれが略矩形状の２層に重ねられたシート部材１４を備える。医療用カバ−１では、２層のシート部材１４のエッジのうち開口１１のエッジ１１１を除く部分が、略全長に亘って互いに接合される、または、互いに連続する。図１に示す状態では、医療用カバ−１は、図１中の上下方向に長い略帯状である。医療用カバ−１の長手方向（すなわち、図１中の上下方向）の一方の端部には開口１１が設けられており、他方の端部は底部１２となっている。医療用カバ−１の一方のシート部材１４の底部１２近傍には、略矩形状の補強部材１３が設けられる。長手方向に垂直な幅方向における補強部材１３の幅は、例えば、シート部材１４の幅に略等しい。医療用カバ−１の長さおよび幅は、例えば、約１４００ｍｍおよび６００ｍｍである。
【００１７】
医療用カバ−１は、ポリエチレン（ＰＥ）やポリプロピレン（ＰＰ）等の樹脂により形成されたシートや不織布等により形成される。医療用カバ−１では、例えば、シート部材１４が透明なポリエチレンシートにより形成され、不織布により形成された補強部材１３が、一方のシート部材１４の外面に接合される。シート部材１４および補強部材１３の材料、形状、色等は、適宜変更されてよい。
【００１８】
図２は、メイヨ台９に装着された状態の医療用カバ−１を示す斜視図である。メイヨ台９は、医療用器具等が載置されるステージ９１と、ステージ９１の１つの端部から下方に延びる支柱９２と、支柱９２の下端部からステージ９１と略同じ方向に突出して支柱９２およびステージ９１を支持する脚部９３とを備える。医療用カバ−１によりメイヨ台９が被覆される際には、ステージ９１の支柱９２とは反対側の端部が医療用カバ−１の開口１１から挿入される。そして、開口１１が、ステージ９１の周囲から支柱９２の下部の周囲まで移動される。図２に示すように、ステージ９１は、医療用カバ−１の底部１２近傍の部位の内側に位置する。ステージ９１の上方には補強部材１３が配置され、補強部材１３によりステージ９１の上面が覆われる。図２では、図の理解を容易にするために、補強部材１３に平行斜線を付す。
【００１９】
図３は、メイヨ台９（図２参照）が挿入される前の状態の医療用カバ−１を示す斜視図である。図４は、図３に示す医療用カバ−１の縦断面図である。図４は、医療用カバ−１の幅方向の中央部における断面を示す。図３および図４に示すように、使用前の医療用カバ−１は長手方向（すなわち、図３および図４中の上下方向）に折り返されてコンパクト化されている。図３および図４に示す例では、医療用カバ−１は、図中の上側の折り返し線である環状の第１折り返し線２１、および、図中の下側の折り返し線である環状の第２折り返し線２２にて折り返されている。
【００２０】
以下の説明では、医療用カバ−１のうち、袋状の底部１２から第１折り返し線２１に至る部位を「第１部位３１」と呼び、第１折り返し線２１から開口１１のエッジ１１１に至る部位を「第２部位３２」と呼ぶ。図２に示すように、医療用カバ−１がメイヨ台９を覆っている状態では、第２部位３２は、第１部位３１から開口１１へと広がる筒状の部位である。また、底部１２を含む第１部位３１には、第１部位３１の強度を向上する上述の補強部材１３が接合されている。以下の説明では、メイヨ台９を覆っている状態における医療用カバ−１の内側の面（すなわち、メイヨ台９に対向する面）を「内面４１」と呼び、外側の面を「外面４２」と呼ぶ。医療用カバ−１の外面４２は、メイヨ台９に接していない清潔面である。医療用カバ−１の内面４１および外面４２という呼び方は、図３および図４に示すように長手方向に折り返された状態の医療用カバ−１における当該面の向き（すなわち、内向きまたは外向き）とは無関係である。
【００２１】
図３および図４に示すように、メイヨ台９の挿入前における医療用カバ−１では、第２部位３２のうち少なくとも第１部位３１との境界近傍の部位が、当該境界である環状の第１折り返し線２１にて外面４２同士を対向させつつ第１部位３１の外側に折り返されている。また、第２部位３２は、環状の第２折り返し線２２にて内面４１同士を対向させつつ外側に折り返される外側折り返し部３３を含む。第２折り返し線２２は、第２部位３２の第１折り返し線２１とは反対側の端縁である底部側端縁である。図３および図４に示す例では、外側折り返し部３３の第２折り返し線２２とは反対側の端縁は、開口１１のエッジ１１１であり、エッジ１１１は、第２折り返し線２２と第１折り返し線２１との間に位置する。
【００２２】
第１部位３１の先端部（すなわち、底部１２の先端部）は、第２折り返し線２２から図中の下方に（すなわち、長手方向に）突出する。長手方向における第１部位３１の突出長さ、すなわち、第１部位３１の先端と第２折り返し線２２との間の長手方向の距離は、例えば、３ｃｍ以上２０ｃｍ以下（より好ましくは、５ｃｍ以上１０ｃｍ以下）である。第１部位３１の突出長さが３ｃｍ以上であることにより、第１部位３１の先端部が第２折り返し線２２から突出していることが認識されやすくなり、突出長さが５ｃｍ以上であることにより、第１部位３１の突出がさらに認識されやすくなる。また、第１部位３１の突出長さが２０ｃｍ以下であることにより、折り返された状態の医療用カバ−１が大きくなることを抑制することができ、突出長さが１０ｃｍ以下であることにより、医療用カバ−１の大型化をさらに抑制することができる。さらには、第１部位３１の突出長さが２０ｃｍ以下（より好ましくは、１０ｃｍ以下）であることにより、図５に示すように、医療用カバ−１が保持された際に、第１部位３１の突出部が垂れ下がることを抑制することもできる。
【００２３】
図３に示すように、第１部位３１のうち、メイヨ台９の挿入前において第２部位３２から露出する領域（以下、「露出領域３４」という。）には、目印１５が設けられる。目印１５は、長手方向に折り返された医療用カバ−１を看護士等が保持するための手の挿入位置を示す。図３に示す例では、第１部位３１の露出領域３４において、幅方向の両端部近傍に２つの目印１５が設けられる。目印１５は、図３中の手前側の露出領域３４、すなわち、第１部位３１のうち補強部材１３が設けられるシート部材１４（図１参照）上に設けられる。２つの目印１５は、例えば、補強部材１３上に配置される。
【００２４】
目印１５としては、例えば、手等のイラスト、矢印等の記号、文字、模様、および、これらの組み合わせが利用される。図３に示す例では、手のイラストと矢印との組み合わせが各目印１５として利用されており、イラストの手の向き、および、矢印の向きにより、看護士の手の挿入方向が示されている。目印１５として、例えば、矢印等が印刷されたシート片が第１部位３１の露出領域３４に貼付されてもよい。この場合、シート片の色は露出領域３４の色と異なることが好ましい。また、インクジェット印刷等により、目印１５が露出領域３４に印刷されてもよい。
【００２５】
医療用カバ−１がメイヨ台９に装着される際には、例えば、図３に示すように折り返された状態の医療用カバ−１が目印１５および補強部材１３を上側に向けて載置される。そして、清潔状態の看護士等が、２つの目印１５にて示される位置から、図５に示すように、上側の第１部位３１と第２部位３２との間に両手を挿入し、両腕を前方に伸ばした状態で医療用カバ−１を持ち上げる。看護士の両手は、上側の第２部位３２を下方から支持する。看護士の両手は、上側の第１部位３１および第２部位３２の外面４２（すなわち、清潔面）に接する。上側の第１部位３１とは、第１部位３１の互いに対向する２つの部位（すなわち、２層のシート部材１４）のうち、重力方向上側に位置する一方の部位を意味する。上側の第２部位３２とは、第２部位３２の第１部位３１を挟んで互いに対向する２つの部位（すなわち、２層のシート部材１４）のうち、重力方向上側に位置する一方の部位を意味する。
【００２６】
下側の第２部位３２および第１部位３１は、その重さにより、上側の第１部位３１および第２部位３２から下方に離間する。これにより、看護士の両手の前方にて第１折り返し線２１が環状に拡がり、第１部位３１が前方に向かって自然に開口する。この状態で、メイヨ台９のステージ９１（図２参照）の先端が第１部位３１の内側に挿入され、看護士の両手がメイヨ台９に沿って移動されることにより、ステージ９１が医療用カバ−１の内側に位置する。このとき、看護士の両手は、メイヨ台９や医療用カバ−１の内面４１に接することなく、医療用カバ−１の外面４２のみに接している。これにより、看護士の清潔状態が維持される。その後、不潔状態の他の看護士等が、第２部位３２のうち外側折り返し部３３を把持し、メイヨ台９の支柱９２に沿って下方に移動させることにより、医療用カバ−１が支柱９２に沿って伸ばされる。これにより、メイヨ台９が医療用カバ−１により覆われる。
【００２７】
以上に説明したように、医療用カバ−１では、メイヨ台９の挿入前において、第２部位３２のうち少なくとも第１折り返し線２１近傍の部位が、環状の第１折り返し線２１にて外面４２同士を対向させつつ第１部位３１の外側に折り返される。また、第１部位３１の先端部が、第２部位３２の第１折り返し線２１とは反対側の端縁である第２折り返し線２２から突出する。
【００２８】
これにより、メイヨ台９の挿入前の医療用カバ−１をコンパクト化することができる。また、上述のように、上側の第１部位３１と第２部位３２との間に看護士が両手を挿入することにより、メイヨ台９への装着後に清潔面となる医療用カバ−１の外面４２のみに触れつつ、医療用カバ−１を容易に保持することができるとともに、医療用カバ−１にメイヨ台９を容易に挿入することができる。
【００２９】
ところで、メイヨ台９の挿入前の医療用カバ−１において、仮に、第１部位３１の先端が第２部位３２の第１折り返し線２１とは反対側の端縁から突出していないとすると、看護士が医療用カバ−１に手を挿入する際に、挿入位置を容易に認識することができず、誤って下側の第１部位３１と第２部位３２との間に手を挿入してしまう可能性がある。あるいは、第１折り返し線２１側から上側の第１部位３１と下側の第１部位３１との間に手を挿入してしまう可能性もある。この場合、第１部位３１は第１折り返し線２１にて自然に開口することはないため、医療用カバ−１へのメイヨ台の挿入が困難となる。
【００３０】
これに対し、図３に示す医療用カバ−１では、上述のように、第１部位３１の先端部が、第２部位３２の第２折り返し線２２から突出しているため、看護士の手の挿入位置である上側の第１部位３１と第２部位３２との境界（すなわち、第２折り返し線２２）を容易に認識することができる。これにより、図５に示すように、看護士の両手を、上側の第１部位３１と第２部位３２との間に容易に挿入することができる。その結果、メイヨ台９を医療用カバ−１に容易に挿入することができ、医療用カバ−１のメイヨ台９への装着を容易とすることができる。
【００３１】
メイヨ台９の挿入前の医療用カバ−１では、第２部位３２が、第２折り返し線２２にて内面４１同士を対向させつつ外側に折り返される外側折り返し部３３を含む。これにより、メイヨ台９が医療用カバ−１にある程度まで挿入された後、不潔状態の看護士等により医療用カバ−１が伸ばされる（すなわち、引き下ろされる）際に、当該看護士が医療用カバ−１の開口１１近傍の部位を容易に把持することができる。また、メイヨ台９の挿入前の医療用カバ−１では、外側折り返し部３３の第２折り返し線２２とは反対側の端縁であるエッジ１１１が、第２折り返し線２２と第１折り返し線２１との間に位置する。これにより、医療用カバ−１を伸ばす不潔状態の看護士が触れる領域、すなわち、不潔許可領域である外側折り返し部３３を小さくすることができる。
【００３２】
上述のように、医療用カバ−１では、第１部位３１のうち、メイヨ台９の挿入前において第２部位３２から露出する露出領域３４に、医療用カバ−１を保持するための手の挿入位置を示す目印１５が設けられる。これにより、医療用カバ−１を保持する清潔状態の看護士等が、手を挿入する位置をさらに容易に認識することができる。また、医療用カバ−１は、第１部位３１に接合されて第１部位３１の強度を向上する補強部材１３を備える。これにより、メイヨ台９の主要部であるステージ９１を覆う第１部位３１が破損することを抑制することができる。
【００３３】
図６は、本発明の第２の関連技術に係る医療用カバ−１ａについて、メイヨ台９（図２参照）の挿入前の状態を示す斜視図である。図７は、図６に示す医療用カバ−１ａの縦断面図である。図７は、医療用カバ−１ａの幅方向の中央部における断面を示す。医療用カバ−１ａでは、メイヨ台９の挿入前において、外側折り返し部３３の第２折り返し線２２とは反対側の端縁であるエッジ１１１近傍の部位が、第１折り返し線２１から図中の上方に（すなわち、長手方向に）突出する。換言すれば、メイヨ台９の挿入前の状態の医療用カバ−１ａでは、エッジ１１１は、長手方向において第１折り返し線２１よりも第２折り返し線２２から離れた位置に位置する。医療用カバ−１ａのその他の構成は、図１ないし図４に示す医療用カバ−１とおよそ同様であり、以下の説明では、対応する構成に同符号を付す。
【００３４】
図６および図７に示す医療用カバ−１ａでは、図３および図４に示す医療用カバ−１と同様に、メイヨ台９の挿入前において、第２部位３２のうち少なくとも第１折り返し線２１近傍の部位が、環状の第１折り返し線２１にて外面４２同士を対向させつつ第１部位３１の外側に折り返される。また、第１部位３１の先端部が、第２部位３２の第１折り返し線２１とは反対側の端縁である第２折り返し線２２から突出する。
【００３５】
これにより、メイヨ台９の挿入前の医療用カバ−１ａをコンパクト化することができる。また、上側（すなわち、図６中の手前側）の第１部位３１と第２部位３２との間に清潔状態の看護士等が両手を挿入することにより、メイヨ台９への装着後に清潔面となる医療用カバ−１ａの外面４２のみに触れつつ、医療用カバ−１ａを容易に保持することができるとともに、医療用カバ−１ａにメイヨ台９を容易に挿入することができる。さらに、当該看護士が、手の挿入位置である上側の第１部位３１と第２部位３２との境界（すなわち、第２折り返し線２２）を容易に認識し、上側の第１部位３１と第２部位３２との間に容易に両手を挿入することができる。その結果、医療用カバ−１ａのメイヨ台９への装着を容易とすることができる。
【００３６】
メイヨ台９の挿入前の医療用カバ−１ａでは、第２部位３２が、第２折り返し線２２にて内面４１同士を対向させつつ外側に折り返される外側折り返し部３３を含む。これにより、メイヨ台９が医療用カバ−１ａにある程度まで挿入された後、不潔状態の看護士等により医療用カバ−１ａが伸ばされる（すなわち、引き下ろされる）際に、当該看護士が医療用カバ−１ａの開口１１近傍の部位を容易に把持することができる。
【００３７】
上述のように、メイヨ台９の挿入前の医療用カバ−１ａでは、外側折り返し部３３の第２折り返し線２２とは反対側の端縁であるエッジ１１１近傍の部位が、第１折り返し線２１から突出する。これにより、清潔状態の看護士等が医療用カバ−１ａを保持する際に、開口１１および第１折り返し線２１側から上側および下側の第１部位３１の間に手を挿入する可能性を低減し、看護士が、上側の第１部位３１と第２部位３２との間にさらに容易に両手を挿入することができる。また、外側折り返し部３３が比較的大きくなるため、医療用カバ−１ａを伸ばす不潔状態の看護士等が、医療用カバ−１ａの開口１１近傍の部位を、より一層容易に把持することができる。さらに、エッジ１１１が第１部位３１の先端部から比較的大きく離れるため、不潔状態の看護士等が把持する部位を、清潔領域である第１部位３１の底部１２の外面４２から、比較的大きく離すことができる。その結果、第１部位３１の底部１２の清潔性の維持を容易とすることができる。
【００３８】
医療用カバ−１ａでは、第１部位３１のうち、メイヨ台９の挿入前において第２部位３２から露出する露出領域３４に、医療用カバ−１ａを保持するための手の挿入位置を示す目印１５が設けられる。これにより、医療用カバ−１ａを保持する清潔状態の看護士等が、手を挿入する位置をさらに容易に認識することができる。また、医療用カバ−１ａは、第１部位３１に接合されて第１部位３１の強度を向上する補強部材１３を備える。これにより、メイヨ台９の主要部であるステージ９１（図２参照）を覆う第１部位３１が破損することを抑制することができる。
【００３９】
図８は、本発明の一の実施の形態に係る医療用カバ−１ｂについて、メイヨ台９（図２参照）の挿入前の状態を示す斜視図である。図９は、図８に示す医療用カバ−１ｂの縦断面図である。図９は、医療用カバ−１ｂの幅方向の中央部における断面を示す。医療用カバ−１ｂでは、メイヨ台９の挿入前における第２部位３２の形状が、図３および図４に示す医療用カバ−１と異なる。医療用カバ−１ｂのその他の構成は、図１ないし図４に示す医療用カバ−１とおよそ同様であり、以下の説明では、対応する構成に同符号を付す。
【００４０】
図８および図９に示す医療用カバ−１ｂでは、メイヨ台９の挿入前における第２部位３２が、第１積層部３５と、第２積層部３６と、第３積層部３７と、外側折り返し部３３とを備える。第１積層部３５は、第２部位３２のうち、第１部位３１との境界である第１折り返し線２１近傍の部位である。第１積層部３５は、第１折り返し線２１にて第１部位３１の外側に折り返される。第２積層部３６は、第１積層部３５との間の境界である第１中間折り返し線２５にて、外面４２同士を対向させつつ第１積層部３５の内側に折りかえされる。第１中間折り返し線２５は、長手方向において第１折り返し線２１と第２折り返し線２２（すなわち、第２部位３２の第１折り返し線２１とは反対側の端縁である底部側端縁）との間に位置する。
【００４１】
第３積層部３７は、第２積層部３６との間の境界である第２中間折り返し線２６にて、内面４１同士を対向させつつ第２積層部３６の内側に折り返される。第２中間折り返し線２６は、長手方向において第１中間折り返し線２５と第１折り返し線２１との間に位置する。外側折り返し部３３は、第３積層部３７との間の境界である第２折り返し線２２にて、内面４１同士を対向させつつ第３積層部３７、第２積層部３６および第１積層部３５の外側に折り返される。第２折り返し線２２は、第３積層部３７の第２中間折り返し線２６とは反対側の端縁である底部側端縁である。図８および図９に示す例では、外側折り返し部３３の第２折り返し線２２とは反対側の端縁であるエッジ１１１は、第１折り返し線２１と第２折り返し線２２との間に位置する。詳細には、エッジ１１１は、第１折り返し線２１と第１中間折り返し線２５との間に位置する。
【００４２】
第３積層部３７の少なくとも一部は、第２積層部３６と第１部位３１との間に位置する。第３積層部３７の少なくとも一部および第２積層部３６は、第１積層部３５と第１部位３１との間に位置する。したがって、第１積層部３５の外面４２の少なくとも一部は、第２積層部３６および第３積層部３７を間に挟んで、第１部位３１の外面４２と間接的に対向する。外側折り返し部３３の内面４１は、第１積層部３５の内面４１の少なくとも一部と対向する。図８および図９に示す例では、第２折り返し線２２が第１中間折り返し線２５から長手方向に離間しているため、外側折り返し部３３の内面４１の一部は、第３積層部３７の内面４１の一部とも対向する。
【００４３】
以上に説明したように、メイヨ台９の挿入前の医療用カバ−１ｂでは、第２部位３２が、第１積層部３５、第２積層部３６および第３積層部３７を備える。これにより、メイヨ台９の挿入前の医療用カバ−１ｂをさらにコンパクト化することができる。また、第２部位３２が外側折り返し部３３をさらに備えることにより、清潔状態の看護士等が医療用カバ−１ｂを保持する際に、誤って第２積層部３６と第３積層部３７との間に手を挿入することを防止することができる。これにより、当該看護士が、上側の第１部位３１と第２部位３２との間にさらに容易に両手を挿入することができる。その結果、医療用カバ−１ｂのメイヨ台９への装着を、より一層容易とすることができる。
【００４４】
図８および図９に示す医療用カバ−１ｂでは、メイヨ台９の挿入前において、外側折り返し部３３のエッジ１１１近傍の部位が、第１折り返し線２１から長手方向に突出してもよい。これにより、図６および図７に示す医療用カバ−１ａと同様に、清潔状態の看護士等が、上側の第１部位３１と第２部位３２との間にさらに容易に両手を挿入することができる。また、医療用カバ−１ｂを伸ばす不潔状態の看護士等が、医療用カバ−１ｂの開口１１近傍の部位を、より一層容易に把持することができる。さらに、不潔状態の看護士等が把持する部位を、清潔領域である第１部位３１の底部１２の外面４２から、比較的大きく離すことができる。その結果、第１部位３１の底部１２の清潔性の維持を容易とすることができる。
【００４５】
上記医療用カバ−１，１ａ，１ｂは、様々な変更が可能である。
【００４６】
例えば、補強部材１３は、必ずしも設けられる必要はなく、省略されてもよい。この場合、上述の２層のシート部材１４は略同一の構造となるため、医療用カバ−１，１ａ，１ｂが清潔状態の看護士等により保持される際に、どちらのシート部材１４が上側とされてもよい。したがって、上述の目印１５は、２層のシート部材１４の両方において、露出領域３４に設けられることが好ましい。これにより、載置された医療用カバ−１，１ａ，１ｂにおいて、２層のシート部材１４のどちらが上側を向いている場合であっても、清潔状態の看護士が、上側の第１部位３１と第２部位３２との間にさらに容易に両手を挿入することができる。
【００４７】
医療用カバ−１，１ａ，１ｂでは、必ずしも筒状の外側折り返し部３３が設けられる必要はない。例えば、医療用カバ−１において、第２部位３２の環状の底部側端縁（すなわち、第１折り返し線２１とは反対側の端縁）の一部のみから外側折り返し部３３が広がっており、当該底部側端縁の他の部位には外側折り返し部３３は設けられなくてもよい。あるいは、医療用カバ−１から外側折り返し部３３が省略されてもよい。医療用カバ−１ａ，１ｂにおいても同様である。
【００４８】
医療用カバ−１，１ａ，１ｂは、メイヨ台９以外の医療用器具の被覆に利用されてもよい。あるいは、医療処置の際に、医療用カバ−１，１ａ，１ｂの開口１１から患者の腕または脚（すなわち、四肢のいずれか）が挿入され、当該腕または脚が医療用カバ−１，１ａ，１ｂにより覆われてもよい。
【００４９】
上記実施の形態および各変形例における構成は、相互に矛盾しない限り適宜組み合わされてよい。
【符号の説明】
【００５０】
１，１ａ，１ｂ    医療用カバー
９    メイヨ台
１１    開口
１２    底部
１３    補強部材
１５    目印
２１    第１折り返し線
２２    第２折り返し線
２５    第１中間折り返し線
２６    第２中間折り返し線
３１    第１部位
３２    第２部位
３３    外側折り返し部
３４    露出領域
３５    第１積層部
３６    第２積層部
３７    第３積層部
４１    内面
４２    外面
１１１    エッジ
【図１】
0006529303.tif 000002
【図２】
0006529303.tif 000003
【図３】
0006529303.tif 000004
【図４】
0006529303.tif 000005
【図５】
0006529303.tif 000006
【図６】
0006529303.tif 000007
【図７】
0006529303.tif 000008
【図８】
0006529303.tif 000009
【図９】
0006529303.tif 000010